(57)【要約】【課題】番組の見逃し防止に優れた記録制御装置を提供すること。【解決手段】実施形態の記録制御装置は、出力制御手段と、視聴状態検出手段と、記録制御手段とを備える。前記出力制御手段は、第１のチャンネルの選択に応じて、前記第１のチャンネルに対応した第１のコンテンツデータを出力するように制御し、前記第１のチャンネルから第２のチャンネルへのチャンネル変更に応じて、前記第１のコンテンツデータの出力に替えて、前記第２のチャンネルに対応した第２のコンテンツデータを出力するように制御する。前記視聴状態検出手段は、前記第１のチャンネルの視聴状態を検出する。前記記録制御手段は、前記視聴状態の検出結果及び前記チャンネル変更に基づいて、前記第１のコンテンツデータを記録するように制御する。【選択図】図２
2012004902.tif 000002
【特許請求の範囲】
【請求項１】
第１のチャンネルの選択に応じて、前記第１のチャンネルに対応した第１のコンテンツデータを出力するように制御し、前記第１のチャンネルから第２のチャンネルへのチャンネル変更に応じて、前記第１のコンテンツデータの出力に替えて、前記第２のチャンネルに対応した第２のコンテンツデータを出力するように制御する出力制御手段と、
前記第１のチャンネルの視聴状態を検出する視聴状態検出手段と、
前記視聴状態の検出結果及び前記チャンネル変更に基づいて、前記第１のコンテンツデータを記録するように制御する記録制御手段と、
を備えた記録制御装置。
【請求項２】
前記第１のコンテンツデータの記録中に、前記第１のコンテンツデータに基づきシーン変化を検出するシーン変化検出手段と、
前記シーン変化の検出に応じて、前記記録制御手段の制御により記録された記録済みコンテンツデータを再生するように制御し、前記第２のコンテンツデータの出力に替えて、前記記録済みコンテンツデータを出力するように制御する再生制御手段と、
を備えた請求項１に記載の記録制御装置。
【請求項３】
前記シーン変化検出手段は、前記第１のコンテンツデータの記録中に、前記シーン変化の検出に基づきＣＭ区間の終わりを検出し、
前記再生制御手段は、前記ＣＭ区間の終わりの検出に応じて、前記記録済みコンテンツデータを再生するように制御し、前記第２のコンテンツデータの出力に替えて、前記記録済みコンテンツデータを出力するように制御する請求項２に記載の記録制御装置。
【請求項４】
前記再生制御手段は、前記ＣＭ区間の終わりの検出に応じて、前記記録済みコンテンツデータの前記ＣＭ区間の終りから前記記録済みコンテンツデータを再生するように制御し、前記第２のコンテンツデータの出力に替えて、前記記録済みコンテンツデータの前記ＣＭ区間以降のコンテンツデータを出力するように制御する請求項３に記載の記録制御装置。
【請求項５】
前記出力制御手段は、前記記録済みコンテンツデータの出力中における、前記第３のチャンネルの選択に応じて、前記記録済みコンテンツデータの出力を停止し、前記第３のチャンネルに対応した前記第３のコンテンツデータを出力するように制御し、
前記再生制御手段は、前記前記記録済みコンテンツデータの出力停止中における、前記シーン変化の検出に応じて、前記記録済みコンテンツデータの再生を再開するように制御し、前記第２のコンテンツデータの出力に替えて、前記記録済みコンテンツデータを出力するように制御する請求項２に記載の記録制御装置。
【請求項６】
前記第２のチャンネルから前記第１のチャンネルへのチャンネル変更に応じて、前記記録制御手段の制御により記録された記録済みコンテンツデータを再生するように制御し、前記第２のコンテンツデータの出力に替えて、前記記録済みコンテンツデータを出力するように制御する再生制御手段を備えた請求項１に記載の記録制御装置。
【請求項７】
前記出力制御手段は、前記記録済みコンテンツデータの出力中における、前記第２のチャンネルの選択に応じて、前記記録済みコンテンツデータの出力を停止し、前記第２のチャンネルに対応した前記第２のコンテンツデータを出力するように制御し、
前記再生制御手段は、前記記録済みコンテンツデータの出力停止中における、前記第２のチャンネルから第１のチャンネルへのチャンネル変更に応じて、前記記録済みコンテンツデータの出力停止位置から前記記録済みコンテンツデータの再生を再開するように制御し、前記第２のコンテンツデータの出力に替えて、前記記録済みコンテンツデータの出力停止位置以降のコンテンツデータを出力するように制御する請求項６に記載の記録制御装置。
【請求項８】
前記再生制御手段は、前記シーン変化の検出に応じて、前記記録済みコンテンツデータの出力の要否確認のための案内情報を出力するように制御し、前記記録済みコンテンツデータの出力要の指示に応じて、前記記録済みコンテンツデータを再生するように制御し、前記第２のコンテンツデータの出力に替えて、前記記録済みコンテンツデータを出力する請求項２に記載の記録制御装置。
【請求項９】
前記出力制御手段は、前記記録済みコンテンツデータの出力否の指示に応じて、前記第２のコンテンツデータの出力を継続するように制御し、
前記記録制御手段は、前記記録済みコンテンツデータの出力否の指示に応じて、前記第１のコンテンツデータの記録を停止し、前記第２のコンテンツデータを記録するように制御する請求項８に記載の記録制御装置。
【請求項１０】
前記第１のコンテンツデータ、前記第２のコンテンツデータ、及び前記記録済みコンテンツデータの何れかを表示する表示手段を備えた請求項２に記載の記録制御装置。
【請求項１１】
第１のチャンネルの選択に応じて、前記第１のチャンネルに対応した第１のコンテンツデータを出力するように制御し、
前記第１のチャンネルの視聴状態を検出し、
前記第１のチャンネルから第２のチャンネルへのチャンネル変更に応じて、前記第１のコンテンツデータの出力に替えて、前記第２のチャンネルに対応した第２のコンテンツデータを出力するように制御し、
前記視聴状態の検出結果及び前記チャンネル変更に基づいて、前記第１のコンテンツデータを記録するように制御する記録制御方法。
【発明の詳細な説明】
【技術分野】
【０００１】
本発明の実施形態は、番組の記録を制御する記録制御装置及び記録制御方法に関する。
【背景技術】
【０００２】
近年、デジタルテレビ放送信号を受信し、受信したデジタルテレビ放送信号に基づく番組を記録したり、再生したりすることが可能なテレビ放送受信装置が普及している。例えば、テレビ放送受信装置は、ＨＤＤ又はＤＶＤ等の記憶媒体を使ってデジタルテレビ放送信号に基づく番組を記録することができる。
【０００３】
さらに、近年、複数チューナを備えたテレビ放送受信装置が登場しており、このようなテレビ放送受信装置は、複数チューナで受信した複数チャンネルに対応した複数番組を同時に記録したり、また記録された複数番組の中から選択された１番組を再生したりすることができる。
【先行技術文献】
【特許文献】
【０００４】
【特許文献１】実用新案登録第３０６４２５４号公報
【発明の概要】
【発明が解決しようとする課題】
【０００５】
上記したようなテレビ放送受信装置の登場により、多くの番組を視聴することが可能となっているものの、さらなる視聴環境の向上が望まれている。
【０００６】
例えば、目的の番組の視聴途中でＣＭ（commercial message）が放送されると、他の番組に切り換えて他の番組を視聴することがある。ところが、他の番組を視聴している間に、目的の番組の決定的シーンを見逃してしまうことがある。例えば、他の番組を視聴している間に、ＣＭ放送が終了すると、目的の番組に復帰する技術が提案されているが、目的の番組に復帰するタイミングによっては、目的の番組の決定的シーンを見逃してしまうことがある。
【０００７】
本発明の目的は、番組の見逃し防止に優れた記録制御装置及び記録制御方法を提供することにある。
【課題を解決するための手段】
【０００８】
実施形態の記録制御装置は、出力制御手段と、視聴状態検出手段と、記録制御手段とを備える。前記出力制御手段は、第１のチャンネルの選択に応じて、前記第１のチャンネルに対応した第１のコンテンツデータを出力するように制御し、前記第１のチャンネルから第２のチャンネルへのチャンネル変更に応じて、前記第１のコンテンツデータの出力に替えて、前記第２のチャンネルに対応した第２のコンテンツデータを出力するように制御する。前記視聴状態検出手段は、前記第１のチャンネルの視聴状態を検出する。前記記録制御手段は、前記視聴状態の検出結果及び前記チャンネル変更に基づいて、前記第１のコンテンツデータを記録するように制御する。
【図面の簡単な説明】
【０００９】
【図１】第１〜第３の実施形態に共通のデジタルテレビジョン放送受信装置（記録制御装置）の構成の一例を示す図である。
【図２】第１及び第２の記録再生制御の一例を示すフローチャートである。
【図３】第１の記録再生制御の一例を示すタイミングチャートである。
【図４】第２の記録再生制御の一例を示すタイミングチャートである。
【図５】第３の記録再生制御の一例を示すタイミングチャートである。
【発明を実施するための形態】
【００１０】
以下、図面を参照し、第１〜第３の実施形態について説明する。
【００１１】
図１は、第１〜第３の実施形態に共通のデジタルテレビジョン放送受信装置（記録制御装置）の構成の一例を示す図である。第１〜第３の実施形態では、デジタルテレビジョン放送受信装置による記録再生制御について説明する。しかしながら、デジタルテレビジョン放送受信装置による記録再生制御に限定されるものではない。例えば、ＨＤＤレコーダ、ＢＤ（Blu-ray）（登録商標）レコーダ、及びＤＶＤレコーダ等の番組録画装置により以下説明する記録再生制御を実現することも可能である。デジタルテレビジョン放送受信装置は映像表示器を備え、映像表示器により番組を表示することができる。これに対して、番組録画装置は、映像表示器に対して映像情報等を出力する映像情報出力部を備える。よって、以下に説明するデジタルテレビジョン放送受信装置の映像表示器を映像情報出力部と読み替えることにより、以下説明する記録再生制御を番組録画装置でも実現することができる。
【００１２】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９ａ、４９ｂに供給され、チューナ４９ａ、４９ｂが指定されたチャンネルの放送信号を選択する。なお、デジタルテレビジョン放送受信装置１００は、衛星デジタル放送用のチューナ４９ａ、４９ｂを備えることにより、最大２チャンネルの衛星デジタル放送信号を同時に選択することができる。図１に示すように、デジタルテレビジョン放送受信装置１００が、衛星デジタル放送用のチューナを二つ備えるケースについて説明するが、衛星デジタル放送用のチューナを三つ以上備える構成としてもよい。
【００１３】
そして、このチューナ４９ａ、４９ｂで選択された放送信号は、ＰＳＫ（phase shift keying）復調モジュール５０ａ、５０ｂに供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４ａ、５４ｂに供給され、チューナ５４ａ、５４ｂは指定されたチャンネルの放送信号を選択する。なお、デジタルテレビジョン放送受信装置１００は、地上デジタル放送用のチューナ５４ａ、５４ｂを備えることにより、最大２チャンネルの地上デジタル放送信号を同時に選択することができる。図１に示すように、デジタルテレビジョン放送受信装置１００が、地上デジタル放送用のチューナを二つ備えるケースについて説明するが、地上デジタル放送用のチューナを三つ以上備える構成としてもよい。
【００１５】
そして、このチューナ５４ａ、５４ｂで選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００２３】
なお、デジタルテレビジョン受像機１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各モジュールをそれぞれ制御している。
【００２４】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００２６】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００２７】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。ＬＡＮ対応機器としては、例えばＮＡＳ（Network Attached Storage）１０３が挙げられる。
【００２８】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００２９】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。ＵＳＢ対応機器としては、例えばＵＳＢ−ＨＤＤ１０２が挙げられる。
【００３０】
さらに、上記制御モジュール６５は、ｉ．Ｌｉｎｋ Ｉ／Ｆ７７を介してｉ．Ｌｉｎｋ端子２５と接続されている。これにより、制御モジュール６５は、ｉ．Ｌｉｎｋ端子２５に接続されたｉ．Ｌｉｎｋ対応機器と、ｉ．Ｌｉｎｋ Ｉ／Ｆ７７を介して情報伝送を行なうことができる。ｉ．Ｌｉｎｋ対応機器としては、ｉ．Ｌｉｎｋ−ＨＤＤ１０４が挙げられる。
【００３１】
さらに、上記制御モジュール６５は、不揮発性メモリ６８に記憶された録画予約リストに含まれた録画予約情報を参照し、録画動作を制御する。録画先としては、例えば内蔵ＨＤＤ１０１、ＵＳＢ−ＨＤＤ１０２、ＮＡＳ１０３、ｉ．ＬＩＮＫ−ＨＤＤ１０４がある。
【００３２】
次に、図２に示すフローチャートと図３〜図６に示すタイミングチャートを参照し、デジタルテレビジョン放送受信装置による第１〜第３の記録再生制御の一例について説明する。
【００３３】
（第１の実施形態）
図３は、第１の記録再生制御の一例を示すタイミングチャートである。第１の実施形態では、ユーザが、目的のチャンネルの視聴中に、ユーザの意思で一時的に目的のチャンネルの視聴を中断して、他の１又は複数のチャンネルを選択し、これら他の１又は複数のチャンネルを一時的に視聴するケース（いわゆるチャンネルサーフィン）を想定する。このようなケースにおいて、デジタルテレビジョン放送受信装置は、以下説明する第１の記録再生制御により、目的のチャンネルの所定シーン（決定的シーンなど）の見逃しを防止することができる。
【００３４】
例えば、ユーザが、リモートコントローラ１７等を介して、地上デジタルテレビジョン放送のチャンネル１（ＣＨ１）を選択すると（ＳＴ１）、制御モジュール６５は、チャンネル１に対応した第１のコンテンツデータ（映像、音声等）を出力するように制御する（ＳＴ２）。これに対応して、映像表示器１４は、第１のコンテンツデータに対応した映像を表示し、スピーカ１５は、第１のコンテンツデータに対応した音声を出力する（ＳＴ２）。
【００３５】
例えば、制御モジュール６５は、チャンネル１に対応した第１のコンテンツデータの出力期間に応じて、チャンネル１の視聴状態（例えばチャンネル１が視聴中の状態か否か）を自動的に検出する。制御モジュール６５が、チャンネル１を視聴中の状態と判断すると、つまり制御モジュール６５が、チャンネル１を視聴中チャンネル（watching channel）と判断すると（ＳＴ３、ＹＥＳ）、チャンネル１を視聴中チャンネルとして設定する（ＳＴ４）。例えば、チャンネル１に対応した第１のコンテンツデータの出力期間が一定期間（例えば３０秒、１分、３分、又は１０分）を超えると、制御モジュール６５は、チャンネル１を視聴中チャンネルとして設定する（ＳＴ４）。例えば、制御モジュール６５は、図３に示すタイミングＴ１で、チャンネル１を視聴中チャンネルとして設定する。
【００３６】
或いは、制御モジュール６５は、ユーザ操作入力に対応して、チャンネル１の視聴状態（例えばチャンネル１が視聴中の状態か否か）を検出することもできる。例えば、リモートコントローラ１７は、チャンネル１を選択するためのチャンネルキーＣＨ１を備えており、例えば、ユーザが、このチャンネルキーＣＨ１を長押しすると、このユーザ操作入力に対応して、制御モジュール６５は、チャンネル１を視聴中の状態と判断する。つまり、制御モジュール６５は、チャンネル１を視聴中チャンネルと判断し（ＳＴ３、ＹＥＳ）、チャンネル１を視聴中チャンネルとして設定する（ＳＴ４）。
【００３７】
或いは、制御モジュール６５は、放送信号等に含まれた電子番組案内（ＥＰＧ）を参照し、チャンネルの選択状況からユーザの嗜好性を検出し、チャンネル１の視聴状態（例えばチャンネル１が視聴中の状態か否か）を検出することもできる。電子番組案内は、各チャンネルの各番組のジャンル情報を含む。よって、制御モジュール６５は、所定時間帯の所定チャンネルの選択（つまり所定番組の選択）に対応して、ユーザによってどのようなジャンルの番組が視聴されているかを検出することができる。制御モジュール６５は、ジャンル別の視聴時間情報を蓄積し、ユーザの嗜好性を検出する。例えば、制御モジュール６５が、スポーツ番組の視聴頻度が高いことを検出し、選択されたチャンネル１で放送されている番組がスポーツ番組であれば、チャンネル１を視聴中の状態と判断する。つまり、制御モジュール６５は、チャンネル１を視聴中チャンネルと判断し（ＳＴ３、ＹＥＳ）、チャンネル１を視聴中チャンネルとして設定する（ＳＴ４）。
【００３８】
上記したようにして、視聴中チャンネルが設定された状態（図３に示すタイミングＴ１以降の状態）で、さらに、ユーザが、リモートコントローラ１７等を介して、地上デジタルテレビジョン放送のチャンネル２（ＣＨ２）を選択すると（ＳＴ５、ＹＥＳ）、制御モジュール６５は、第１のコンテンツデータの出力に替えて、チャンネル２に対応した第２のコンテンツデータ（映像、音声等）を出力するように制御する（ＳＴ６）（図３のタイミングＴ２）。つまり、チャンネル変更操作に対応して、映像表示器１４は、第２のコンテンツデータに対応した映像を表示し、スピーカ１５は、第２のコンテンツデータに対応した音声を出力する（ＳＴ６）。
【００３９】
さらに、制御モジュール６５は、視聴状態の検出結果及びチャンネル２の選択（変更操作）に対応して、チャンネル１に対応した第１のコンテンツデータを記録するように制御する（ＳＴ７）。例えば、制御モジュール６５は、チャンネル１からチャンネル２へのチャンネル変更を検出すると（ＳＴ５、ＹＥＳ）、チャンネル変更タイミング（図３に示すタイミングＴ２）で、チャンネル１に対応した第１のコンテンツデータの記録を開始し、記録を継続するように制御する（ＳＴ７）。なお、制御モジュール６５は、視聴中チャンネルの設定タイミング（図３に示すタイミングＴ１）で、チャンネル１に対応した第１のコンテンツデータの記録を開始し、記録を継続するように制御することもできる。これにより、内蔵ＨＤＤ１０１、ＵＳＢ−ＨＤＤ１０２、ＮＡＳ１０３、又はｉ．Ｌｉｎｋ−ＨＤＤ１０４（以下、番組記録部と称する）が、第１のコンテンツデータの記録を開始し、記録を継続する（ＳＴ７）。
【００４０】
制御モジュール６５は、チャンネル１に対応した第１のメタデータ、及びチャンネル１に対応した第１のコンテンツデータを取得し、チャンネル１のシーン変化を監視する。例えば、制御モジュール６５は、チャンネル１のシーン変化の検出に対応して（ＳＴ８）、視聴再開（チャンネル１に戻る）と判断する（ＳＴ９、ＹＥＳ）。
【００４１】
例えば、制御モジュール６５は、チャンネル１に対応した第１のコンテンツデータに含まれた音声信号を解析し、音声信号の変化を検出し、シーンの変化を検出し（ＳＴ８）（図３に示すタイミングＴ３）、このシーンの変化検出に対応して視聴再開（チャンネル１に戻る）と判断する（ＳＴ９、ＹＥＳ）。或いは、制御モジュール６５は、チャンネル１に対応した第１のコンテンツデータに含まれた映像信号を解析し、映像信号の変化を検出し、シーンの変化を検出し（ＳＴ８）（図３に示すタイミングＴ３）、このシーンの変化検出に対応して視聴再開（チャンネル１に戻る）と判断する（ＳＴ９、ＹＥＳ）。なお、制御モジュール６５は、音声信号と映像信号の解析結果から、シーンの変化を検出することもできる。
【００４２】
制御モジュール６５が、視聴再開と判断すると（ＳＴ９、ＹＥＳ）、第２のコンテンツデータの出力に替えて、番組記録部に記録された第１の記録済みコンテンツデータを出力するように制御する（ＳＴ１０）（図３のタイミングＴ４）。例えば、制御モジュール６５は、タイミングＴ２以降の第１の記録済みコンテンツデータを出力するように制御する（ＳＴ１０）。或いは、制御モジュール６５は、タイミングＴ３以降の第１の記録済みコンテンツデータを出力するように制御する（ＳＴ１０）。これに対応して、映像表示器１４は、第１の記録済みコンテンツデータに対応した映像を表示し、スピーカ１５は、第１の記録済みコンテンツデータに対応した音声を出力する（ＳＴ１０）。
【００４３】
タイミングＴ２以降の第１の記録済みコンテンツデータが出力される場合は、ユーザは、シーン変化が起こることを前提として、シーン変化の前から番組を視聴することができる。また、タイミングＴ３以降の第１の記録済みコンテンツデータが出力される場合は、ユーザは、シーン変化の直前から番組を視聴することができる。
【００４４】
なお、チャンネル１のシーン変化が検出されてから（図３に示すタイミングＴ３）、チャンネル１に対応した第１の記録済みコンテンツデータが出力されるまでに（図３に示すタイミングＴ４）、タイムラグが生じることがあり得る。それでも、デジタルテレビジョン放送受信装置は、シーン変化検出の直後の所定シーンの見逃しを防止することができる。それは、上記説明したように、デジタルテレビジョン放送受信装置が、図３に示すタイミングＴ２（又はＴ１）のタイミングで、チャンネル１に対応した第１のコンテンツデータの記録を開始しているからである。
【００４５】
なお、チャンネル２への変更検出（ＳＴ５、ＹＥＳ）の後、例えば、チャンネル２に対応した第２のコンテンツデータの出力期間が一定期間を超えると、制御モジュール６５は、チャンネル２を視聴中チャンネルと判断し、チャンネル２を新たに視聴中チャンネルとして設定し直し（チャンネル１を視聴中チャンネルから除外し）、番組記録部に記録された第１の記録済みコンテンツデータを削除する。さらに、この後、ユーザが、リモートコントローラ１７等を介して、地上デジタルテレビジョン放送のチャンネル３（チャンネル２以外のチャンネル）を選択すると、制御モジュール６５は、第２のコンテンツデータの出力に替えて、チャンネル３に対応した第３のコンテンツデータ（映像、音声等）を出力するように制御し、しかも、チャンネル２に対応した第２のコンテンツデータを記録するように制御する。或いは、制御モジュール６５は、視聴中チャンネルの設定タイミングで、チャンネル２に対応した第２のコンテンツデータを記録するように制御する。
【００４６】
上記説明したように、第１の記録済みコンテンツデータに対応した映像、音声が出力された状態（図３に示すタイミングＴ４〜Ｔ６の状態）で、さらに、ユーザが、例えば、図３に示すタイミングＴ６で、リモートコントローラ１７等を介して、地上デジタルテレビジョン放送のチャンネル３（チャンネル１以外のチャンネル）を選択すると、制御モジュール６５は、第１の記録済みコンテンツデータの出力を停止し（図３に示すタイミングＴ５で停止し）、第１の記録済みコンテンツデータの出力に替えて、チャンネル３に対応した第３のコンテンツデータ（映像、音声等）を出力するように制御する。なお、第１の記録済みコンテンツデータの出力は停止されるが、第１のコンテンツデータの記録は継続されている。
【００４７】
その後、例えば、制御モジュール６５が、図３に示すタイミングＴ７で、再度、チャンネル１のシーン変化を検出すると、視聴再開と判断し、第３のコンテンツデータの出力に替えて、第１の記録済みコンテンツデータを出力するように制御する（図３に示すタイミングＴ８）。例えば、制御モジュール６５は、タイミングＴ７以降の第１の記録済みコンテンツデータを出力するように制御する。或いは、制御モジュール６５は、タイミングＴ５以降の第１の記録済みコンテンツデータを出力するように制御することもできる。
【００４８】
続いて、各種案内情報の出力について説明する。上記説明したように、制御モジュール６５が、視聴再開と判断した場合に、各種案内情報を出力し、ユーザからの操作入力に対応して次の動作を制御するようにしてもよい。
【００４９】
例えば、制御モジュール６５が、視聴再開と判断した場合に、「チャンネル１へ戻る（ＹＥＳ／ＮＯ）」を表示するように制御する。ユーザの操作入力により、「ＹＥＳ」が選択されれば、制御モジュール６５は、チャンネル２に対応した第２のコンテンツデータの出力に替えて、番組記録部に記録された第１の記録済みコンテンツデータを出力するように制御する。ユーザの操作入力により、「ＮＯ」が選択されれば、制御モジュール６５は、チャンネル２に対応した第２のコンテンツデータの出力を継続する。
【００５０】
或いは、ユーザの操作入力により、「ＮＯ」が選択されれば、制御モジュール６５は、チャンネル２を視聴中チャンネルとして設定し直し（チャンネル１を視聴中チャンネルから除外し）、チャンネル２に対応した第２のコンテンツデータの出力を継続する。さらに、制御モジュール６５は、チャンネル２からチャンネル３（チャンネル２以外のチャンネル）へのチャンネル変更を検出すると、第２のコンテンツデータの出力に替えて、チャンネル３に対応した第３のコンテンツデータの出力を制御し、さらに、第２のコンテンツデータの記録を開始し、記録を継続するように制御する。又は、制御モジュール６５は、視聴中チャンネルの設定タイミングで、チャンネル２に対応した第２のコンテンツデータの記録を開始し、記録を継続するように制御する。
【００５１】
或いは、制御モジュール６５が、視聴再開と判断した場合に、「視聴中チャンネルを録画してチャンネル１へ戻る（ＹＥＳ／ＮＯ）」を表示するように制御する。ユーザの操作入力により、「ＹＥＳ」が選択されれば、制御モジュール６５は、チャンネル２に対応した第２のコンテンツデータの記録を開始し、チャンネル２に対応した第２のコンテンツデータの出力に替えて、番組記録部に記録された第１の記録済みコンテンツデータを出力するように制御する。つまり、第１のコンテンツデータの記録が継続された状態で、第２のコンテンツデータの記録が開始される。ユーザの操作入力により、「ＮＯ」が選択されれば、制御モジュール６５は、チャンネル２に対応した第２のコンテンツデータの出力を継続する。
【００５２】
以上説明したように、第１の記録再生制御によれば、目的のチャンネル（チャンネル１）が視聴中チャンネルに設定された後、ユーザが、他の１又は複数のチャンネルを選択し、これら他の１又は複数のチャンネルを一時的に視聴していても（チャンネルサーフィンを実行中でも）、目的のチャンネルのシーン変化検出に応じて、目的のチャンネルの映像及び音声出力に切り替わるので、目的のチャンネルの所定シーン（決定的シーンなど）の見逃しを防止することができる。
【００５３】
（第２の実施形態）
図４は、第２の記録再生制御の一例を示すタイミングチャートである。第２の実施形態では、ユーザが、目的のチャンネルの視聴中に、ＣＭが放送され、ユーザの意思で一時的に目的のチャンネルの視聴を中断して、他の１又は複数のチャンネルを選択し、これら他の１又は複数のチャンネルを一時的に視聴するケース（いわゆるチャンネルサーフィン）を想定する。このようなケースにおいて、デジタルテレビジョン放送受信装置は、以下説明する第２の記録再生制御により、目的のチャンネルのＣＭ終了後の所定シーンの見逃しを防止することができる。
【００５４】
例えば、ユーザが、リモートコントローラ１７等を介して、地上デジタルテレビジョン放送のチャンネル１を選択すると（ＳＴ１）、制御モジュール６５は、チャンネル１に対応した第１のコンテンツデータを出力するように制御する（ＳＴ２）。制御モジュール６５が、チャンネル１を視聴中チャンネルと判断すると（ＳＴ３、ＹＥＳ）、チャンネル１を視聴中チャンネルとして設定する（ＳＴ４）。例えば、制御モジュール６５は、図４に示すタイミングＴ１で、チャンネル１を視聴中チャンネルとして設定する。
【００５５】
上記したようにして、視聴中チャンネルが設定された状態（図４に示すタイミングＴ１以降の状態）で、チャンネル１でＣＭが放送されると、例えば、ユーザは、ＣＭ放送期間中の他の１又は複数チャンネルを一時的に視聴することを考える。これに対応して、ユーザが、リモートコントローラ１７等を介して、地上デジタルテレビジョン放送のチャンネル２を選択すると（ＳＴ５、ＹＥＳ）、制御モジュール６５は、第１のコンテンツデータの出力に替えて、チャンネル２に対応した第２のコンテンツデータを出力するように制御する（ＳＴ６）（図４のタイミングＴ２）。
【００５６】
さらに、制御モジュール６５は、視聴状態の検出結果及びチャンネル２の選択に対応して、チャンネル１に対応した第１のコンテンツデータを記録するように制御する（ＳＴ７）。例えば、制御モジュール６５は、チャンネル１からチャンネル２へのチャンネル変更を検出すると（ＳＴ５、ＹＥＳ）、チャンネル変更タイミング（図４に示すタイミングＴ２）で、チャンネル１に対応した第１のコンテンツデータの記録を開始し、記録を継続するように制御する（ＳＴ７）。或いは、制御モジュール６５は、視聴中チャンネルの設定タイミング（図４に示すタイミングＴ１）で、チャンネル１に対応した第１のコンテンツデータの記録を開始し、記録を継続するように制御する。これにより、番組記録部が、第１のコンテンツデータの記録を開始し、記録を継続する（ＳＴ７）。
【００５７】
制御モジュール６５は、チャンネル１に対応した第１のメタデータ、及びチャンネル１に対応した第１のコンテンツデータを取得し、チャンネル１の状態を監視する。例えば、制御モジュール６５は、チャンネル１のシーン変化の検出に対応して（ＳＴ８）、視聴再開（チャンネル１に戻る）と判断する（ＳＴ９、ＹＥＳ）。
【００５８】
例えば、制御モジュール６５は、チャンネル１に対応した第１のコンテンツデータに含まれた音声信号を解析し、音声信号の変化を検出し、シーンの変化（ＣＭ区間の終わり）を検出し（ＳＴ８）（図４に示すタイミングＴ３）、このシーンの変化検出に対応して視聴再開（チャンネル１に戻る）と判断する（ＳＴ９、ＹＥＳ）。或いは、制御モジュール６５は、チャンネル１に対応した第１のコンテンツデータに含まれた映像信号を解析し、映像信号の変化を検出し、シーンの変化（ＣＭ区間の終わり）を検出し（ＳＴ８）（図４に示すタイミングＴ３）、このシーンの変化検出に対応して視聴再開（チャンネル１に戻る）と判断する（ＳＴ９、ＹＥＳ）。
【００５９】
制御モジュール６５が、視聴再開と判断すると（ＳＴ９、ＹＥＳ）、第２のコンテンツデータの出力に替えて、番組記録部に記録された第１の記録済みコンテンツデータを出力するように制御する（ＳＴ１０）。例えば、制御モジュール６５は、チャンネル１のＣＭ区間の終わりを検出すると（ＳＴ８）（ＳＴ９、ＹＥＳ）、第２のコンテンツデータの出力に替えて、タイミングＴ３以降の第１の記録済みコンテンツデータを出力するように制御する（ＳＴ１０）。
【００６０】
なお、チャンネル１のＣＭ区間の終りが検出されてから（図４に示すタイミングＴ３）、チャンネル１に対応した第１の記録済みコンテンツデータが出力されるまでに（図４に示すタイミングＴ４）、タイムラグが生じることがあり得る。それでも、デジタルテレビジョン放送受信装置は、ＣＭ区間の終り検出の直後の所定シーンの見逃しを防止することができる。それは、上記説明したように、デジタルテレビジョン放送受信装置が、図４に示すタイミングＴ２（又はＴ１）のタイミングで、チャンネル１に対応した第１のコンテンツデータの記録を開始しているからである。
【００６１】
なお、チャンネル２への変更検出（ＳＴ５）の後、例えば、チャンネル２に対応した第２のコンテンツデータの出力期間が一定期間を超えると、制御モジュール６５は、チャンネル２を視聴中チャンネルと判断し、チャンネル２を新たな視聴中チャンネルとして設定し直し（チャンネル１を視聴中チャンネルから除外し）、番組記録部に記録された第１の記録済みコンテンツデータを削除する。
【００６２】
上記説明したように、第１の記録済みコンテンツデータに対応した映像、音声が出力された状態（図４に示すタイミングＴ４〜Ｔ６の状態）で、さらに、ユーザが、例えば、図４に示すタイミングＴ６で、リモートコントローラ１７等を介して、地上デジタルテレビジョン放送のチャンネル３（チャンネル１以外のチャンネル）を選択すると、制御モジュール６５は、第１の記録済みコンテンツデータの出力を停止し（図４に示すタイミングＴ５で停止）、第１の記録済みコンテンツデータの出力に替えて、チャンネル３に対応した第３のコンテンツデータ（映像、音声等）を出力するように制御する。なお、第１の記録済みコンテンツデータの出力は停止されるが、第１のコンテンツデータの記録は継続されている。
【００６３】
その後、例えば、制御モジュール６５が、図４に示すタイミングＴ７で、再度、チャンネル１のＣＭ区間の終りを検出すると、視聴再開と判断し、第３のコンテンツデータの出力に替えて、第１の記録済みコンテンツデータを出力するように制御する。例えば、制御モジュール６５は、タイミングＴ７以降の第１の記録済みコンテンツデータを出力するように制御する。
【００６４】
なお、第１の実施形態で説明したように、制御モジュール６５が、視聴再開と判断した場合に、各種案内情報を出力し、ユーザからの操作入力に対応して次の動作を制御するようにしてもよい。
【００６５】
以上説明したように、第２の記録再生制御によれば、目的のチャンネル（チャンネル１）が視聴中チャンネルに設定された後、ユーザが、他の１又は複数のチャンネルを選択し、これら他の１又は複数のチャンネルを一時的に視聴していても（チャンネルサーフィンを実行中でも）、目的のチャンネルのシーン変化検出（ＣＭ区間の終わり検出）に応じて、目的のチャンネルの映像及び音声出力に切り替わるので、目的のチャンネルのＣＭ終了後の所定シーン（決定的シーンなど）の見逃しを防止することができる。
【００６６】
（第３の実施形態）
図５は、第３の記録再生制御の一例を示すタイミングチャートである。第３の実施形態では、ユーザが、目的のチャンネルの視聴中に、ユーザの意思で一時的に目的のチャンネルの視聴を中断して、他の１又は複数のチャンネルを選択し、これら他の１又は複数のチャンネルを一時的に視聴するケース（いわゆるチャンネルサーフィン）を想定する。このようなケースにおいて、デジタルテレビジョン放送受信装置は、以下説明する第３の記録再生制御により、目的のチャンネルの所定シーンの見逃しを防止することができる。
【００６７】
例えば、ユーザが、リモートコントローラ１７等を介して、地上デジタルテレビジョン放送のチャンネル１を選択すると、制御モジュール６５は、チャンネル１に対応した第１のコンテンツデータを出力するように制御する。制御モジュール６５が、チャンネル１を視聴中チャンネルと判断すると、チャンネル１を視聴中チャンネルとして設定する。例えば、制御モジュール６５は、図５に示すタイミングＴ１で、チャンネル１を視聴中チャンネルとして設定する。
【００６８】
上記したようにして、視聴中チャンネルが設定された状態（図５に示すタイミングＴ１以降の状態）で、例えば、ユーザが、他の１又は複数チャンネルを一時的に視聴することを考え、例えば、ユーザが、リモートコントローラ１７等を介して、地上デジタルテレビジョン放送のチャンネル２を選択すると、制御モジュール６５は、第１のコンテンツデータの出力に替えて、チャンネル２に対応した第２のコンテンツデータを出力するように制御する（図５のタイミングＴ２）。
【００６９】
さらに、制御モジュール６５は、視聴状態の検出結果及びチャンネル２の選択に対応して、チャンネル１に対応した第１のコンテンツデータを記録するように制御する。つまり、制御モジュール６５は、チャンネル１からチャンネル２へのチャンネル変更を検出すると、チャンネル変更タイミング（図５に示すタイミングＴ２）で、第１のコンテンツデータの記録を開始し、記録を継続するように制御する。なお、制御モジュール６５は、視聴中チャンネルの設定タイミング（図５に示すタイミングＴ１）で、第１のコンテンツデータの記録を開始し、記録を継続するように制御することもできる。これにより、番組記録部が、第１のコンテンツデータの記録を開始し、記録を継続する。
【００７０】
上記したようにして、チャンネル１が視聴中チャンネルとして設定され、チャンネル２が選択された状態（図５に示すタイミングＴ２〜Ｔ３の状態）で、さらに、ユーザが、リモートコントローラ１７等を介して、チャンネル１を選択すると（図５のタイミングＴ３）、制御モジュール６５は、視聴再開と判断する。つまり、制御モジュール６５は、視聴中チャンネル（チャンネル１）への戻りを検出すると、視聴再開（チャンネル１に戻る）と判断する。
【００７１】
制御モジュール６５が、視聴再開と判断すると、第２のコンテンツデータの出力に替えて、番組記録部に記録された第１の記録済みコンテンツデータを出力するように制御する（図５のタイミングＴ４）。例えば、制御モジュール６５は、タイミングＴ２以降の第１の記録済みコンテンツデータを出力するように制御する。
【００７２】
さらに、ユーザが、図５に示すタイミングＴ６で、リモートコントローラ１７等を介して、チャンネル３（チャンネル１以外のチャンネル）を選択すると、制御モジュール６５は、第１の記録済みコンテンツデータの出力を停止し（図５に示すタイミングＴ５で停止）、第１の記録済みコンテンツデータの出力に替えて、チャンネル３に対応した第３のコンテンツデータを出力するように制御する。なお、第１の記録済みコンテンツデータの出力は停止されるが、第１のコンテンツデータの記録は継続されている。
【００７３】
その後、例えば、ユーザが、図５に示すタイミングＴ７で、リモートコントローラ１７等を介して、チャンネル１を選択すると、制御モジュール６５は、視聴再開と判断する。制御モジュール６５が、視聴再開と判断すると、第３のコンテンツデータの出力に替えて、第１の記録済みコンテンツデータを出力するように制御する（図５に示すタイミングＴ８）。例えば、制御モジュール６５は、タイミングＴ５以降の第１の記録済みコンテンツデータを出力するように制御する。
【００７４】
なお、第１の実施形態で説明したように、制御モジュール６５が、視聴再開と判断した場合に、各種案内情報を出力し、ユーザからの操作入力に対応して次の動作を制御するようにしてもよい。
【００７５】
以上説明したように、第３の記録再生制御によれば、目的のチャンネル（チャンネル１）が視聴中チャンネルに設定された後、ユーザが、他の１又は複数のチャンネルを選択し、これら他の１又は複数のチャンネルを一時的に視聴していても（チャンネルサーフィンを実行中でも）、目的のチャンネルへの戻り操作に応じて、目的のチャンネルの未視聴部分の映像及び音声出力に切り替わるので、目的のチャンネルの所定シーン（決定的シーンなど）の見逃しを防止することができる。
【００７６】
また、上記説明したデジタルテレビジョン放送受信装置は、目的のチャンネル（チャンネル１）が視聴中チャンネルに設定された後、目的のチャンネルを視聴していない間も、目的のチャンネルに対応したコンテンツデータは記録され続けるので、目的のチャンネルに対応したコンテンツデータをユーザの意思で過去に遡って再生することもできるし、遡った位置から早送り再生することもできる。
【００７７】
なお、上記したモジュールとは、ハードウェアで実現するものであっても良いし、ＣＰＵ等を使ってソフトウェアで実現するものであってもよい。
【００７８】
また、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決できる場合には、この構成要件が削除された構成が発明として抽出され得る。
【符号の説明】
【００７９】
１…デジタルテレビジョン放送受信装置、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…i.Link端子、４７…アンテナ、４８…入力端子、４９ａ、４９ｂ…チューナ、５０ａ、５０ｂ…ＰＳＫ復調モジュール、５１…信号処理モジュール、５２…アンテナ、５３…入力端子、５４ａ、５４ｂ…チューナ、５５ａ、５５ｂ…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ、１０１…内蔵ＨＤＤ、１０２…ＵＳＢ−ＨＤＤ、１０３…ＮＡＳ、１０４…ｉ．ＬＩＮＫ−ＨＤＤ
【図１】
2012004902.tif 000003
【図２】
2012004902.tif 000004
【図３】
2012004902.tif 000005
【図４】
2012004902.tif 000006
【図５】
2012004902.tif 000007